(57)【要約】【課題】  簡単に脱げて顔出し窓から防護服内への放射性物質等の侵入を抑制することができる防護服を提供することを目的とする。【解決手段】  着用者の胸，腹及び腰を収容する胴筒と脚を収容する脚筒と腕を収容する腕筒と頭を収容する顔出し窓を有するフードとを一体に形成し、ファスナの開閉により着脱を行う開閉部を設ける。開閉部は、腕筒又は胴筒からフードの少なくとも顔出し窓の脇に至るように形成されている。【選択図】  図１
2017008466.tif 000002
【特許請求の範囲】
【請求項１】
着用者の胸，腹及び腰を収容する胴筒と腕を収容する腕筒と脚を収容する脚筒と頭を収容する顔出し窓を有するフードとを一体に形成し、ファスナの開閉により着脱を行う開閉部を設けた防護服において、
前記開閉部は、前記腕筒又は胴筒から前記フードの少なくとも顔出し窓の脇に至るように形成されていることを特徴とする防護服。
【請求項２】
前記開閉部は、一方の腕筒から前記フードの一方の側部、頂部、他方の側部を通って他方の腕筒に至るように形成されている請求項１に記載の防護服。
【請求項３】
前記開閉部は、前記胴筒の前面側の腰部位から前記顔出し窓の一方の脇、上方を当該窓の上半部に沿って円弧状に通って窓の他方の脇に至るように形成されている請求項１に記載の防護服。
【請求項４】
前記開閉部は、前記胴筒の前面側の腰部位の左右の一方から前記顔出し窓の一方の脇、上方、他方の脇を当該窓の上半部に沿って円弧状に通って前記腰部位の左右の他方に至るように形成されている請求項１に記載の防護服。
【請求項５】
前記胴筒の背面側から前記フードの後頭部位を通って顔出し窓の上方で前記開閉部に連結される後方開閉部が設けられている請求項２〜４のいずれか１項に記載の防護服。
【請求項６】
前記フードの顔出し窓の一部には、着用者の装着する防護マスクに仮止めする粘着シートが取り付けられている請求項１〜５のいずれか１項に記載の防護服。
【請求項７】
前記フードの顔出し窓の縁部に、当該顔出し窓の大きさを可変にする伸縮性部材を取り付けた請求項１〜６のいずれか１項に記載の防護服。
【請求項８】
前記腕筒の手首部位の近傍に透光部を設けて、着用者の手首近傍を外部から視認できるようにした請求項１〜７のいずれか１項に記載の防護服。
【請求項９】
前記胴筒の胸部の裏面にポケットを設け、当該胸部の前面側から前記ポケットに通じる出入口を形成した請求項１〜８のいずれか１項に記載の防護服。
【請求項１０】
前記出入口は、スリット状に形成され、前記出入口に被さるフラップを設けた請求項９に記載の防護服。
【請求項１１】
前記腕筒の先端に、指通し用の指通しリング部を設けた請求項１〜１０のいずれか１項に記載の防護服。
【請求項１２】
少なくとも胴筒におけるファスナの裏面に、補強帯体を取り付けた請求項１〜１１のいずれか１項に記載の防護服。
【請求項１３】
前記防護服は、不透光性材料で形成され、胸部位に窓状透光部を設けた請求項１〜１２のいずれか１項に記載の防護服。
【発明の詳細な説明】
【技術分野】
【０００１】
本発明は、原子力施設内のような放射線管理区域内などで作業する作業員、或は、半導体製造や食品製造などのような塵芥を嫌う作業場での作業員や農薬の散布作業に従事する作業員などが着用するのに好適なつなぎ服である防護服に関するものである。
【背景技術】
【０００２】
従来から例えば原子力施設内や放射線管理区域内などでは、補修、点検或いは清掃のために原子炉の周辺設備に作業者が近づく必要がある場合、作業中に生ずる放射性物質による身体への汚染ないし被ばくを防ぐために、作業者は防護服を着用している。この防護服としては、着用者の胸，腹及び腰を収容する胴筒と脚を収容する脚筒と腕を収容する腕筒と頭を収容する顔出し窓を有するフードとを一体に形成し、ファスナの開閉により着脱を行う開閉部を設けたものがある（例えば、特許文献１参照。）。
【先行技術文献】
【特許文献】
【０００３】
【特許文献１】特開２００５−５５８１３号公報
【発明の概要】
【発明が解決しようとする課題】
【０００４】
ところで、前記の防護服では、開閉部が胴筒の腰部位の前面側中央部からフードの顔出し窓まで設けられており、胴筒の腰部位からフードの顔出し窓までをファスナにより開口して着脱特に脱衣を簡単に行えるようにしている。しなしながら、顔に防護マスクを装着した状態で防護服を着てから、ガムテープ等の粘着シートで顔出し窓の全周を防護マスクに接着して顔出し窓から放射性物質が防護服内に侵入するのを防止するが、ファスナ（開閉部）が顔出し窓に繋がっていると、ファスナ及びその近傍の粘着シートへの接着が他の箇所に比べて接着性が悪い。防護服を着た状態で体を動かすと、特に顔の顎は他の箇所に比べて前後に動く範囲が大きく顎が動くと、接着性が悪い箇所が動くので、その箇所から粘着シートが剥がれることもあり得る。
【０００５】
そこで、本発明は、簡単に脱げて顔出し窓から防護服内への放射性物質等の侵入を抑制することができる防護服を提供することを課題とする。
【課題を解決するための手段】
【０００６】
前記課題を解決するため本発明に係る防護服は、着用者の胸，腹及び腰を収容する胴筒と腕を収容する腕筒と脚を収容する脚筒と頭を収容する顔出し窓を有するフードとを一体に形成し、ファスナの開閉により着脱を行う開閉部を設けた防護服において、前記開閉部は、前記腕筒又は胴筒から前記フードの少なくとも顔出し窓の脇に至るように形成されていることを特徴とする。
【０００７】
このように、開閉部を、腕筒又は胴筒からフードの顔出し窓の脇に至るように形成することで、開閉部を開口したとき大きな開口部となるので、簡単に脱げ易い。また、ファスナ（開閉部）は、顔出し窓に繋がってないので、ガムテープ等の粘着シートで顔出し窓の縁部を防護マスクに接着した際に粘着シートが縁部から剥がれ易くなる箇所がない。その結果、顔出し窓から防護服内への放射性物質等の侵入を抑制することができる  
【０００８】
この場合において、開閉部を、一方の腕筒から前記フードの一方の側部、頂部、他方の側部を通って他方の腕筒に至るように形成してもよいし、胴筒の前面側の腰部位から顔出し窓の一方の脇、上方を当該窓の上半部に沿って円弧状に通って窓の他方の脇に至るように形成してもよいし、また、胴筒の前面側の腰部位の左右の一方から前記顔出し窓の一方の脇、上方、他方の脇を当該窓の上半部に沿って円弧状に通って前記腰部位の左右の他方に至るように形成してもよい。この場合、胴筒の背面側からフードの後頭部位を通って顔出し窓の上方で開閉部に連結される後方開閉部を設けることができる。
【０００９】
また、フードの顔出し窓の一部に、着用者の装着する防護マスクに仮止めする粘着シートを取り付けてもよい。フードの顔出し窓の縁部に、当該顔出し窓の大きさを可変にする伸縮性部材を取り付けることができる。さらに、腕筒の手首部位の近傍に透光部を設けて、着用者の手首近傍を外部から視認できるようにしてもよい。また、胴筒の胸部の裏面にポケットを設け、当該胸部の前面側から前記ポケットに通じる出入口を形成することができる。出入口をスリット状に形成し、出入口に被さるフラップを設けることができる。さらに、腕筒の先端に、指通し用の指通しリング部を設けてもよい。また、少なくとも胴筒のファスナの裏面に、補強帯体を取り付けてもよい。さらに、防護服を不透光性材料で形成し、胸部位に窓状透光部を設けることができる。
【発明の効果】
【００１０】
本発明によれば、簡単に脱げて顔出し窓から防護服内への放射性物質等の侵入を抑制することができる防護服が得られる。
【図面の簡単な説明】
【００１１】
【図１】本発明に係る第１の防護服の一例を示した正面図である。
【図２】本発明に係る第１の防護服の一例を示した側面図である。
【図３】本発明に係る第２の防護服の一例を示した正面図である。
【図４】本発明に係る第３の防護服の一例を示した正面図である。
【図５】本発明に係る第４の防護服の一例を示した図で、（ａ）は正面図、（ｂ）は背面図である。
【発明を実施するための形態】
【００１２】
以下、本発明に係る防護服の実施形態を添付図面に基づいて説明する。図１に示すように、本発明に係る第１の防護服１（以下、単に「防護服１」ということがある。）は、例えば、放射線管理区域内などで作業する作業者が着用するものである。防護服１は、着用者の胸、腹及び腰を包む胴筒２と、腕を包む左右の腕筒３（袖３ともいう）と、脚を包む左右の脚筒４と、頭を包むフード５とを一体に形成し、ファスナ８の開閉により着脱を行う開閉部７を設けたものである。防護服１の素材は、通常の布製や不織布製であるが、吸湿性繊維や非吸湿性繊維などの多層構造布や多層構造の不織布、その他の構造の布地などを用いることができる。防護服１は、服全体は白色など、任意の色を選択した不透光性材料で形成することができる。
【００１３】
胴筒２の前身頃の胸部位の中央には、窓状透光部１１が設けられていることが好ましい。窓状透光部１１は、着用者の胸を外部から視認できるようにするもの、例えば、着用者の胸に入れた警報付ポケット線量計（ＡＰＤ）等を外部から視認できるようにしたものである。窓状透光部１１は、例えば、胸部位に矩形状の開口部を設け、この開口部を透光性を有する透光性素材で塞いで形成してもよい。透光性素材は、例えば、エチレン・酢酸ビニル共重合樹脂（ＥＶＡ樹脂）やポリエステル樹脂等をシート状に形成したもの等である。透光性素材は、開口部を形成する開口端部に縫合、接着、溶着等により取り付けられて開口部が塞がれている。
【００１４】
胴筒２の胸部位の窓状透光部１１の例えば左側の裏面には、例えば四角形のポケット素材の上辺を除く３辺が取り付けられてポケット１２が形成されている。胸部位の裏面に取り付けられていないポケット１２の上辺がその裏面からのポケット１２の裏面側の出入口となる。胸部位には、裏面側の出入口に対応する箇所又はその近傍にその出入口と平行に延びるスリットが形成されており、このスリットが胸部位の前面側からポケットへの出し入れを行える表面側の出入口１３として形成されている。胸部位の表面には、表面側の出入口１３を覆うすなわちカバーするフラップ１４が取り付けられている。
【００１５】
腕筒３における袖口３２にリング状にゴム紐などの伸縮性部材を取り付けて、この袖口３２を狭窄して伸縮可能に形成している。脚筒４の裾口４２にリング状にゴム紐などの伸縮性部材を取り付けて、この裾口４２を狭窄して伸縮可能に形成している。
また、左右の腕筒３の一方又は両方の袖口３２には、指通し用の指通しリング部１８を設けるようにしてもよい。このように、指通しリング部１８を設けることで、防護服１を着る際の腕筒３のめくれを防止することが可能となる。
【００１６】
左右の腕筒３の手首部位の近傍である先端上方側には、透光部１５が設けられていることが好ましい。透光部１５は、着用者の前腕の手首近傍を外部から視認できるようにするもの、すなわち、着用者の前腕の手首近傍に付けた腕時計等を外部から視認できるようにしたものである。透光部１５は、例えば、窓状透光部１１と同様に形成してもよい。すなわち、腕筒３の先端側に開口部を設け、この開口部を透光性素材で塞いで形成してもよい。なお、透光部１５を腕筒３の前腕部位の先端側の周方向の全体に設けてもよい。
【００１７】
フード５の前面側の中央部には、顔出し用に開口した顔出し窓６が設けられている。顔出し窓６は、着用者の防護マスクの目や鼻等の一部を突出させ得る形状、例えば、下部が直線でそれ以外が曲線の略円状、略楕円状等に形成されている。
顔出し窓６の縁部には、ゴム紐などの伸縮性部材６１を取り付けて、この顔出し窓６の大きさを可変に形成することが好ましい。伸縮性部材６１の取付箇所は、顔出し窓６の全周であってもよいが、予め粘着シート１６を取り付ける場合には粘着シート取付箇所以外の箇所であることが好ましい。伸縮性部材６１の取付箇所は、例えば、下部の直線以外の曲線部である。
【００１８】
フード５の顔出し窓６には、着用者の防護マスクに仮止めする粘着シート１６が取り付けられている。粘着シート１６としては、顔出し窓６を防護マスクに仮止めすることができれば特に限定されず、例えば、ガムテープ等でもよい。粘着シート１６は、一部がフード５の顔出し窓６の表面に貼り付けられ、残りが顔出し窓６に延出している。この延出部の粘着部には、離型紙が貼られており、離型紙を剥がし延出部を防護マスクに貼り付けることで、顔出し窓６を防護マスクに仮止めすることが可能となる。粘着シート１６の取付箇所は、顔出し窓６の全周であってもよいが、その一部でもよく、また、１箇所でも２箇所以上でもよい。粘着シート１６の取付箇所は、伸縮性部材６１を取り付ける場合には伸縮性部材取付箇所以外の箇所であることが好ましく、例えば、下部の直線部である。顔出し窓６を防護マスクに仮止めした後に、ガムテープ等のシート状の粘着部材で顔出し窓６の全周を防護マスクに貼り付けて、防護マスクと顔出し窓６との間を密閉することになる。なお、粘着シート１６は、防護マスクと顔出し窓６との間を密閉する粘着部材の一部として使用してもよい。
【００１９】
開閉部７は、ファスナ８の開閉により防護服１の着脱を行うものであり、腕筒３又は胴筒２からフード５の少なくとも顔出し窓６の脇に至るように形成されている。すなわち、開閉部７の形成箇所は、腕筒３又は胴筒２からフード５の顔出し窓６の一方の脇までで、好ましくは、腕筒３又は胴筒２からフード５の顔出し窓６の上方まで、より好ましくは、腕筒３又は胴筒２から一方の脇、上方、上半部を囲んで他方の脇までである。このように、開閉部７が腕筒３又は胴筒２からフード５の少なくとも顔出し窓６の脇に至るように形成されていることで、開閉部７を開口したとき開口部が大きいので、防護服１の着脱特に脱衣を簡単に行えることになる。開閉部７は、具体的には例えば、一方の腕筒３からフード５の一方の側部、頂部、他方の側部を通って他方の腕筒３に至るように形成されていることが好ましい。この場合、開閉部７の両端は、腕筒３であれば特に限定されないが、肘部位より前方であることが好ましく、例えば、図１に示すように、腕筒３の先端である袖口３２であってもよい。開閉部７の両端が肘部位より前方であると、肘が防護服１の腕筒３から簡単に抜けるので、防護服１を簡単に脱ぐことが可能となる。  
【００２０】
ファスナ８としては、特に限定されず、例えば、プラスチック製などのスライドファスナ等が用いられる。ファスナ８は、咬合子と咬合子をお互いに咬合分離するスライダー８１を備えるものである。開閉部７が両肩部位からフード５の両側部を通って当該フード５の頂部で繋がるように形成されている場合、スライダー８１は、１つでも２つでもよく、本実施形態では２つの場合について説明する。なお、開閉部７として、さらに胴筒２の背面側例えば腰部位からフード５の後頭部位を通って顔出し窓６の上方である頂部で前記の開閉部７に連結される後方開閉部９を設けて構成するようにしてもよい。また、腕筒３、胴筒２、フード５のファスナ８の裏面に、比翼のような補強帯体１７を取り付けるようにしてもよい。補強帯体１７は、スライダー８１（ファスナ８）の開閉を円滑に行えるようにするものであり、スライダー８１（ファスナ８）の開閉を円滑に行えるならば素材は特に限定されない。補強帯体１７の幅は、特に限定されず、例えば、７ｃｍである。補強帯体１７の取付箇所は、ファスナ８の裏面であれば特に限定されないが、腕筒３や胴筒２には少なくとも取り付けられていることが好ましく（図３、図４参照）、さらに、フード５にも取り付けるようにしてもよい（図５参照。）。
【００２１】
本発明に係る防護服１の着用は、２つのスライダー８１をフード５の頂部からそれぞれ腕筒３の先端の袖口３２までスライドさせて押し下げフード５を前後に２つ割りにして開閉部７を大きく開く。この開閉部７から左右の脚を左右の脚筒４に順に入れ、スライダー８１を引き上げながら両腕を左右の腕筒３に通してから、フード５を頭に被るとともに、スライダー８１をフード５の頂部に移動させる。このとき、着用者は、防護服１を着る前に予め防護マスクを装着しておくため、フード５を頭に被ってから、着用者は防護マスクの目や鼻等の一部を顔出し窓６から突出させ、防護マスクに対する顔出し窓６の位置を調節し、粘着シート１６で防護マスクに顔出し窓６を仮止めする。仮止め後、ガムテープ等のシート状の粘着部材で顔出し窓６の全周を防護マスクに貼り付けて、防護マスクと顔出し窓６との間を密閉する。これにより、防護服１の着用が完了する。
【００２２】
このとき、顔出し窓６の縁部に伸縮性部材６１が取り付けられていると、顔出し窓６の大きさが可変するので、防護マスクの大きさや種類等が異なっても防護マスクの位置の調節を容易に確実に行える。また、顔出し窓６に仮止め用の粘着シート１６が取り付けられていることで、粘着部材で顔出し窓６の全周を防護マスクに貼り付ける際に、防護マスクに対する顔出し窓６の位置がずれ難いので、防護マスクと顔出し窓６との間を確実に密閉することができる。これにより、顔出し窓６から放射性物質が防護服１内に侵入するのが防止される。
【００２３】
防護服１を脱ぐには、２つのスライダー８１をフード５の頂部から腕筒３の先端の袖口３２までスライドさせて押し下げる。これにより、防護服１はフード５の頂部から腕筒３の先端にかけて前後にフード５が２つに割れるので、防護服１を容易に脱ぐことができる。このとき、粘着部材及び粘着シート１６は、２つのスライダー８１を頂部からスライドさせる前に防護マスクから剥がしてもよいし、粘着部材及び粘着シート１６を防護マスクに貼り付けた状態で防護服１を脱ぎながら防護マスクを顔から取り外しても良い。このように、防護服１を脱ぐ際に、防護服１の表面に接触する機会が減るので、汚染される機会を減らせることが可能となる。また、ファスナ８すなわちスライダー８１が防護服１の両側部に取り付けられているので、一人でスライダー８１をスライドさせることができる。すなわち、一人で防護服１を脱ぐことができる。
【００２４】
ファスナ８（開閉部７）は、顔出し窓６に繋がってないので、ガムテープ等の粘着部材や粘着シート１６で顔出し窓６を防護マスクに密閉する際に粘着部材や粘着シート１６が顔出し窓６から剥がれ易くなる箇所がない。その結果、顔出し窓６から防護服１内への放射性物質等の侵入を抑制することができる。
【００２５】
したがって、本発明に係る防護服１は、開閉部７を腕筒３又は胴筒２からフード５の顔出し窓６の脇に至るように形成されていることで、簡単に脱げて顔出し窓６から防護服１内への放射性物質等の侵入を抑制することができる。特に開閉部７が腕筒３の先端の袖口３２からフード５の両側部を通って当該フード５の頂部で繋がるように形成されていることで、フード５が前後に２つに割れるので、防護服１を脱ぐ際にフード５が頭から簡単に確実に脱げるので、防護服１内への放射性物質等の侵入をより一層抑制することができる。
【００２６】
腕筒３の手首部位の近傍に透光部１５を設けることで、腕筒３をめくり上げることなく、時計や着用者の前腕の手首近傍に装着した機械、機器等を視認することができ、防護服１内への放射性物質等の侵入を防止することができる。
【００２７】
胴筒２の胸部位の中央に窓状透光部１１が設けられていることで、着用者の胸に入れた警報付ポケット線量計（ＡＰＤ）等を外部から視認することができる。また、胴筒２の胸部位の裏面にポケット１２を設け、当該胴筒２の胸部の前面側に表面からポケット１２に通じる出入口１３を形成したことで、ポケット１２に入れたスマートフォンなどの通信機等を開閉部７をあけることなく取り出すことが可能となる。その結果、開閉部７をあけて線量計等を取り出す場合に比して放射性物質による身体への汚染を抑えることができる。このとき、胴筒２の胸部の前面側の表面に、出入口１３に被さるフラップ１４を設けることで、放射性物質による身体への汚染を一層抑えることができる。
【００２８】
図３〜図５は、本発明に係る第２、第３、第４の防護服の一例を示した図である。第２、第３、第４の防護服は、第１の防護服１の開閉部７の形成箇所の他の例を示すものである。開閉部７以外の部材等は第１の防護服１と同一であるので同一符号を付しその説明を省略する。開閉部７は、第１の防護服１では、図１に示すように、腕筒３の先端の袖口３２からフード５の両側部を通って当該フード５の頂部で繋がるように形成したが、これに限定されず、図３に示すように、胴筒２の前面側の腰部位の一方の側部寄り例えば左側部より顔出し窓６の左側の脇、上方を当該窓６の上半部に沿って円弧状に通って窓６の右側の脇に至るように形成してもよいし（第２の防護服２０）、図４に示すように、胴筒２の前面側の腰部位の左右の一方から顔出し窓６の一方の脇、上方、他方の脇を当該窓６の上半部に沿って円弧状に通って腰部位の左右の他方に至るように、すなわち、胴筒２の前面側の腰部位の左右の側部寄りからフード５の顔出し窓６の両側を通ってフード５の頂部で繋がるように形成してもよい（第３の防護服３０）。この場合、第２の防護服２０のファスナ８のスライダー８１は、２つでもよいが１つであることが好ましい。第３の防護服３０のファスナ８のスライダー８１は、２つであることが好ましい。なお、第２の防護服２０における開閉部７の下方側の端部は、腰部位より下方に形成されていてもよい。また、第３の防護服３０における開閉部７の両端部は、腰部位より下方に形成されていてもよい。
【００２９】
このように構成することで、第２、第３の防護服２０，３０は、防護服２０，３０を脱ぐには、スライダー８１を胴筒２の腰部位にスライドさせて押し下げることで、防護服２０，３０は顔出し窓６より上方で略２つに割れるので、防護服２０，３０を容易に脱ぐことができ、第１の防護服１と略同様の作用効果を奏する。
【００３０】
第４の防護服の開閉部７は、第３の防護服の開閉部７に後方開閉部９を設けたものである。すなわち、第４の防護服の開閉部７は、図５に示すように、胴筒２の前面側の腰部位の左右の側部寄りからフード５の顔出し窓６の両側を通ってフード５の頂部で繋がるように形成し、かつ、胴筒２の背面側の腰部位の中央からフード５の後頭部位を通って顔出し窓６の上方で前記開閉部７に連結される後方開閉部９を設けたものである。このように構成することで、第４の防護服４０は、防護服４０を脱ぐには、スライダー８１を胴筒２の腰部位にスライドさせて押し下げることで、防護服４０は顔出し窓６より上方で略２つに割れる。さらに、後方開閉部９のファスナ９０のスライダー９１を胴筒２の腰部位にスライドさせて押し下げることで、防護服は顔出し窓６より上方で略３つに割れる。これにより、防護服４０を容易に脱ぐことができ、第１の防護服１と略同様の作用効果を奏する。
【符号の説明】
【００３１】
１  第１の防護服
２  胴筒
３  腕筒
４  脚筒
５  フード
６  顔出し窓
７  開閉部
８  ファスナ
９  後方開閉部
１１  窓状透光部
１２  ポケット
１３  出入口
１４  フラップ
１５  透光部
１６  粘着シート
１７  補強帯体
１８  リング部
２０  第２の防護服
３０  第３の防護服
４０  第４の防護服
６１  伸縮性部材
【図１】
2017008466.tif 000003
【図２】
2017008466.tif 000004
【図３】
2017008466.tif 000005
【図４】
2017008466.tif 000006
【図５】
2017008466.tif 000007